(57)【特許請求の範囲】
【請求項１】
衝撃を吸収するシート状の第一保護部材及び第二保護部材と、
前記第一保護部材及び第二保護部材の間に配置され、前記第二保護部材に粘着する第一粘着層と、
前記第一粘着層と前記第一保護部材との間に配置され、前記第一粘着層と前記第一保護部材との粘着を妨げ、剥離可能な第一剥離紙と、
前記第一保護部材の外側に配置され、前記第一保護部材を保護するシート状の保護カバーと、
前記第二保護部材の外縁付近で内部を囲むように、前記第二保護部材と前記第一粘着層との間又は前記第一粘着層と前記第一剥離紙との間に配置され、前記第一保護部材及び第二保護部材を補強し、前記第一保護部材及び第二保護部材の折れ曲がりを維持する線状又は帯状の補強材と、
を備えることを特徴とする光ファイバ心線保護シート。
【請求項２】
前記第一粘着層に対して前記第二保護部材の反対側に配置され、前記第二保護部材に粘着する第二粘着層と、
前記第二粘着層の外側に配置され、前記第二粘着層の粘着を妨げ、剥離可能な第二剥離紙と、
をさらに備えることを特徴とする請求項１に記載の光ファイバ心線保護シート。
【請求項３】
光ファイバ心線を配置する位置を示すマーカーが、前記第二保護部材の前記第一粘着層の側に記されていることを特徴とする請求項１又は２に記載の光ファイバ心線保護シート。
【請求項４】
前記マーカーが、複数の折り返し箇所を含むことを特徴とする請求項３に記載の光ファイバ心線保護シート。
【請求項５】
前記第一保護部材及び第二保護部材の間の一部が前記第一粘着層及び前記第一剥離紙を介することなく固着されていることを特徴とする請求項１から４のいずれかに記載の光ファイバ心線保護シート。
【請求項６】
前記第一粘着層及び前記第一剥離紙が前記第一保護部材及び第二保護部材の間の一部に帯状に配置され、帯状の前記第一粘着層及び前記第一剥離紙の上面では前記第一保護部材及び前記保護カバーが帯の両側から重なるように配置されていることを特徴とする請求項１から５のいずれかに記載の光ファイバ心線保護シート。
【請求項７】
光ファイバ心線保護シートは、光ファイバ心線を配置する小径曲げ許容部及び光ファイバケーブルの導入口となる２つの成端部に平面的に分割され、それぞれの前記成端部の前記小径曲げ許容部の側に、前記小径曲げ許容部を結合させるのりしろ部が設けられていることを特徴とする請求項１から６のいずれかに記載の光ファイバ心線保護シート。
【請求項８】
前記補強材が途切れている開放部を３箇所以上有することを特徴とする請求項１から７のいずれかに記載の光ファイバ心線保護シート。
【請求項９】
光ケーブルの一部の区間で被覆を除去して光ファイバ心線とし、
請求項１から８のいずれかに記載の光ファイバ心線保護シートを、前記第一剥離紙を境に、前記第一保護部材及び第二保護部材の少なくとも一部が互いに離れるよう剥離させ、
剥離した前記第一保護部材及び第二保護部材の間に前記光ファイバ心線を配置し、
前記第一剥離紙を引き剥がした後、再び前記第一保護部材及び第二保護部材を互いに粘着させることを特徴とする光ファイバ心線保護方法。
【請求項１０】
２本の光ケーブルの一端の被覆をそれぞれ除去して光ファイバ心線とし、
両者の光ファイバ心線を互いに融着して補強し、
請求項１から８のいずれかに記載の光ファイバ心線保護シートを、前記第一剥離紙を境に、前記第一保護部材及び第二保護部材の少なくとも一部が互いに離れるよう剥離させ、
剥離した前記第一保護部材及び第二保護部材の間に前記光ファイバ心線及び融着して補強した部分を配置し、
前記第一剥離紙を引き剥がした後、再び前記第一保護部材及び第二保護部材を互いに粘着させることを特徴とする光ファイバ心線保護方法。
【請求項１１】
２本の光ケーブルの一端の被覆をそれぞれ除去して光ファイバ心線とし、
両者の光ファイバ心線の間を他の光ファイバ心線で接続するよう、融着してそれぞれ補強し、
請求項１から８のいずれかに記載の光ファイバ心線保護シートを、前記第一剥離紙を境に、前記第一保護部材及び第二保護部材の少なくとも一部が互いに離れるよう剥離させ、
剥離した前記第一保護部材及び第二保護部材の間に前記光ファイバ心線及び融着して補強した２箇所の部分を配置し、
前記第一剥離紙を引き剥がした後、再び前記第一保護部材及び第二保護部材を互いに粘着させることを特徴とする光ファイバ心線保護方法。
【発明の詳細な説明】
【技術分野】
【０００１】
本発明は、ドアやサッシ窓の隙間に外被を除去した光ファイバ心線を配線することを可能とする光ファイバ心線保護シート及び光ファイバ心線保護方法に関する。
【背景技術】
【０００２】
近年ＦＴＴＨ（Ｆｉｂｅｒ  Ｔｏ  Ｔｈｅ  Ｈｏｍｅ）が急速に進展し、既存の集合住宅や戸建住宅への光ファイバの配線形態が増加している。これらの既存住宅は、屋外から屋内へ引き込むための光ドロップケーブル、屋内配線のための光インドアケーブルなどを収容するための配管設備が整っていない場合がある。その場合には、住宅の壁に貫通穴を開けて配線を行う方法があるが、壁に穴を開けることについてはお客様が好まれない場合があるため、ドアやサッシ窓の隙間から光ファイバを引き込む方法により配線を行うこととなる。
【０００３】
従来の小径曲げ対応光ファイバコードの平面図を図１に示す（例えば、特許文献１、特許文献２参照。）。図１に示すように、小径曲げ対応光ファイバコード５１は小径曲げ許容部５２とその両端に２つの成端部５３を備える。小径曲げ対応光ファイバコード５１の中に予め低曲げ損失光ファイバを用いた光ファイバ心線６３が内蔵され、また小径曲げ許容部５２および成端部５３の両側の外縁部には、例えば銅線等の補強材５６が光ファイバ心線６３を挟むようにして埋め込まれている。光ファイバ心線６３が成端部５３から外に出る部分には、被覆光コード５８に保護された光ファイバが延びており、両端には光コネクタ５７が装着されている。
【０００４】
図１の従来の小径曲げ対応光ファイバコード５１のＦ−Ｆ’線における断面図を図２に示す。小径曲げ対応光ファイバコード５１は、（図の左面から順に、）剥離紙５５、粘着層６１、保護部材５９、補強材５６、保護部材５９、保護シート６０より構成される。光ファイバ心線６３は、二枚の保護部材５９の間に配置されている。また、小径曲げ対応光ファイバコード５１の外縁近くに沿って補強材５６が配置される。なお、補強材５６は、成端部５３から外へ延びる被覆光コード５８の辺においては切り欠きが設けられている。
【０００５】
この小径曲げ対応光ファイバコード５１を、ドアやサッシ窓の隙間の狭隘部分に配線する作業時には、小径曲げ対応光ファイバコード５１の剥離紙５５を小径曲げ対応光ファイバコード５１より除去し、粘着層６１をドアやサッシ窓枠の隙間の狭隘部に貼り付けることとなる。
【先行技術文献】
【特許文献】
【０００６】
【特許文献１】特開２００７−３１６４０４号公報
【特許文献２】特開２００８−３０４５５７号公報
【発明の概要】
【発明が解決しようとする課題】
【０００７】
従来の小径曲げ対応光ファイバコード５１は、コード両端が光コネクタであるため、屋外側若しくは屋外から屋内への配線に用いる光ドロップケーブル又は屋内側の配線に用いる光インドアケーブルとの接続点を設ける必要があった。
【０００８】
そこで、前記課題を解決するために、光ドロップケーブル又は光インドアケーブル等の光ケーブルとの接続点及び接続点を収容する接続用キャビネットを不要とする光ファイバ心線保護シート及び光ファイバ心線保護方法を提供することを目的とする。
【課題を解決するための手段】
【０００９】
本願発明の光ファイバ心線保護シート及び光ファイバ心線保護方法は、光ファイバの配線に用いる光ドロップケーブルや光インドアケーブル等の光ケーブルの任意の中間部に、光ケーブルの被覆を除去して光ファイバ心線を形成し、形成した光ファイバ心線を保護部材外装で後から挟むこととした。
【００１０】
具体的には、本願発明の光ファイバ心線保護シートは、衝撃を吸収するシート状の第一保護部材及び第二保護部材と、前記第一保護部材及び第二保護部材の間に配置され、前記第二保護部材に粘着する第一粘着層と、前記第一粘着層と前記第一保護部材との間に配置され、前記第一粘着層と前記第一保護部材との粘着を妨げ、剥離可能な第一剥離紙と、前記第一保護部材の外側に配置され、前記第一保護部材を保護するシート状の保護カバーと、前記第二保護部材の外縁付近で内部を囲むように、前記第二保護部材と前記第一粘着層との間又は前記第一粘着層と前記第一剥離紙との間に配置され、前記第一保護部材及び第二保護部材を補強し、前記第一保護部材及び第二保護部材の折れ曲がりを維持する線状又は帯状の補強材と、を備える。
【００１１】
本願発明の光ファイバ心線保護シートは、前記第一粘着層に対して前記第二保護部材の反対側に配置され、前記第二保護部材に粘着する第二粘着層と、前記第二粘着層の外側に配置され、前記第二粘着層の粘着を妨げ、剥離可能な第二剥離紙と、をさらに備えることを特徴とする。
【００１２】
本願発明の光ファイバ心線保護シートは、光ファイバ心線を配置する位置を示すマーカーが、前記第二保護部材の前記第一粘着層の側に記されていることを特徴とする。
【００１３】
本願発明の光ファイバ心線保護シートは、前記マーカーが、複数の折り返し箇所を含むことを特徴とする。
【００１４】
本願発明の光ファイバ心線保護シートは、前記第一保護部材及び第二保護部材の間の一部が前記第一粘着層及び前記第一剥離紙を介することなく固着されていることを特徴とする。
【００１５】
本願発明の光ファイバ心線保護シートは、前記第一粘着層及び前記第一剥離紙が前記第一保護部材及び第二保護部材の間の一部に帯状に配置され、帯状の前記第一粘着層及び前記第一剥離紙の上面では前記第一保護部材及び前記保護カバーが帯の両側から重なるように配置されていることを特徴とする。
【００１６】
本願発明の光ファイバ心線保護シートは、光ファイバ心線を配置する小径曲げ許容部及び光ファイバケーブルの導入口となる２つの成端部に平面的に分割され、それぞれの前記成端部の前記小径曲げ許容部の側に、前記小径曲げ許容部を結合させるのりしろ部が設けられていることを特徴とする。
【００１７】
本願発明の光ファイバ心線保護シートは、前記補強材が途切れている開放部を３箇所以上有することを特徴とする。
【００１８】
具体的には、本願発明の光ファイバ心線保護方法は、光ケーブルの一部の区間で被覆を除去して光ファイバ心線とし、本願発明の光ファイバ心線保護シートを、前記第一剥離紙を境に、前記第一保護部材及び第二保護部材の少なくとも一部が互いに離れるよう剥離させ、剥離した前記第一保護部材及び第二保護部材の間に前記光ファイバ心線を配置し、前記第一剥離紙を引き剥がした後、再び前記第一保護部材及び第二保護部材を互いに粘着させる。
【００１９】
具体的には、本願発明の光ファイバ心線保護方法は、２本の光ケーブルの一端の被覆をそれぞれ除去して光ファイバ心線とし、両者の光ファイバ心線を互いに融着して補強し、本願発明の光ファイバ心線保護シートを、前記第一剥離紙を境に、前記第一保護部材及び第二保護部材の少なくとも一部が互いに離れるよう剥離させ、剥離した前記第一保護部材及び第二保護部材の間に前記光ファイバ心線及び融着して補強した部分を配置し、前記第一剥離紙を引き剥がした後、再び前記第一保護部材及び第二保護部材を互いに粘着させる。
【００２０】
具体的には、本願発明の光ファイバ心線保護方法は、２本の光ケーブルの一端の被覆をそれぞれ除去して光ファイバ心線とし、両者の光ファイバ心線の間を他の光ファイバ心線で接続するよう、融着してそれぞれ補強し、本願発明の光ファイバ心線保護シートを、前記第一剥離紙を境に、前記第一保護部材及び第二保護部材の少なくとも一部が互いに離れるよう剥離させ、剥離した前記第一保護部材及び第二保護部材の間に前記光ファイバ心線及び融着して補強した２箇所の部分を配置し、前記第一剥離紙を引き剥がした後、再び前記第一保護部材及び第二保護部材を互いに粘着させる。
【００２１】
なお、本願発明においての光ファイバ心線とは、光ファイバガラスを一次被覆（主にシリコーンコーティング）と二次被覆（ポリアミド等によるコーティング）で保護されている状態の心線である。一般的にはその最外径は０．２５ｍｍの太さを有している心線としている。
【発明の効果】
【００２２】
本願発明は、光ドロップケーブル又は光インドアケーブルの接続点及び接続点を収容する接続用キャビネットを不要とする光ファイバ心線保護シート及び光ファイバ心線保護方法を提供することができる。
【図面の簡単な説明】
【００２３】
【図１】従来の小径曲げ対応光ファイバコードの平面図を示す。
【図２】従来の小径曲げ対応光ファイバコードの断面図を示す。
【図３】本願発明の光ファイバ心線保護シートの平面図を示す。
【図４】本願発明の光ファイバ心線保護シートの断面図を示す。
【図５】本願発明の光ファイバ心線保護シートの使用方法を示す。
【図６】本願発明の光ファイバ心線保護シートの平面図を示す。
【図７】本願発明の光ファイバ心線保護シートの断面図を示す。
【図８】本願発明の光ファイバ心線保護シートの使用方法を示す。
【図９】本願発明の光ファイバ心線保護シートの平面図を示す。
【図１０】本願発明の光ファイバ心線保護シートの断面図を示す。
【図１１】本願発明の光ファイバ心線保護シートの使用方法を示す。
【図１２】本願発明の光ファイバ心線保護シートの平面図を示す。
【図１３】本願発明の光ファイバ心線保護シートの断面図を示す。
【図１４】本願発明の光ファイバ心線保護シートの使用方法を示す。
【図１５】本願発明の光ファイバ心線保護シートの平面図を示す。
【図１６】本願発明の光ファイバ心線保護シートの断面図を示す。
【図１７】本願発明の光ファイバ心線保護シートの使用方法を示す。
【図１８】本願発明の光ファイバ心線保護シートの平面図を示す。
【図１９】本願発明の光ファイバ心線保護シートの断面図を示す。
【図２０】本願発明の光ファイバ心線保護シートの使用方法を示す。
【図２１】本願発明の光ファイバ心線保護シートの平面図を示す。
【図２２】本願発明の光ファイバ心線保護シートの平面図を示す。
【図２３】本願発明の光ファイバ心線保護シートの平面図を示す。
【図２４】本願発明の光ファイバ心線保護シートの平面図を示す。
【発明を実施するための形態】
【００２４】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００２５】
（実施形態１）
本実施形態に係る光ファイバ心線保護シート１の平面図を図３に示す。図３のＡ−Ａ’線における光ファイバ心線保護シート１の断面図を図４に示す。図３、図４における光ファイバ心線保護シート１は、第二保護部材１９−２、第一粘着層２２、第一剥離紙２５、第一保護部材１９−１、保護カバー２０、補強材１６を備える。図３において、光ファイバ心線保護シート１は、平面的には３つの長方形で構成されている。光ファイバ心線を配置する小径曲げ許容部１２及び光ファイバケーブルの導入口となる２つの成端部１３である。ここでは、平面的な形状が３つの長方形の組み合わせとなっているが、この形に限定されるものではない。
【００２６】
第一保護部材１９−１及び第二保護部材１９−２はシート状であり、第一保護部材１９−１及び第二保護部材１９−２の間に配置する光ファイバ心線に外部から加わる衝撃を吸収する。材質としては、ポリウレタン、ナイロン、紙等で構成される。これらの材料を単一又は複合の層として使用してもよいし、不織布としてもよい。
【００２７】
第一粘着層２２は、第一保護部材１９−１及び第二保護部材１９−２の間に配置され、第二保護部材１９−２に粘着している。第一剥離紙２５を剥離すると、第一粘着層２２は第一保護部材１９−１と第二保護部材１９−２を粘着させる。第一剥離紙２５は第一粘着層２２と第一保護部材１９−１との間に配置され、第一粘着層２２と第一保護部材１９−１との粘着を妨げる。第一剥離紙２５は剥離可能で、剥離すると、第一保護部材１９−１と第二保護部材１９−２とが第一粘着層２２によって粘着される。
【００２８】
第一剥離紙２５と第一保護部材１９−１とは弱い粘着力で粘着させてもよいし、静電気の引っ張り力でくっつけてもよいし、両者がお互いに離れないように、クリップで留められたり、袋で封止されたりしていてもよい。
【００２９】
保護カバー２０は第一保護部材１９−１の外側に配置され、第一保護部材１９−１を保護するシート状のカバーである。例えば、保護カバー２０の材料には難燃性ポリエチレン化合物を用いて耐燃性を向上させてもよい。例えば、第一保護部材１９−１が樹脂であれば、第一保護部材１９−１の表面を、滑らかな平面に熱加工して保護カバー２０としてもよい。
【００３０】
補強材１６は第二保護部材１９−２と第一粘着層２２との間、又は第一粘着層２２と第一剥離紙２５との間に配置されている。第二保護部材１９−２又は第一粘着層２２の面上の外縁付近で、収容する光ファイバ心線を囲むような形状である。光ケーブルと重ならないよう、光ケーブルが導入される部分は途切れている。第一保護部材１９−１及び第二保護部材１９−２が薄いシート状であるため、第一保護部材１９−１及び第二保護部材１９−２を補強する。また、第一保護部材１９−１及び第二保護部材１９−２は弾力があるため、光ファイバ心線保護シート１をドアやサッシ窓の隙間に折り曲げて設置したときに、元の平面に戻ろうとしてしまう。そこで、第一保護部材１９−１及び第二保護部材１９−２が元の平面に戻らないよう、補強材１６は折れ曲がりを維持する。補強材１６は、線状でも帯状でもよい。材質としては、銅、軟鉄、アルミニウム、鉛等の折れ曲がりが維持できる素材が好ましい。
【００３１】
第二粘着層２１及び第二剥離紙１５を備えない場合は、光ファイバ心線保護シート１をドアやサッシ窓の隙間に設置する際に、第二保護部材１９−２の外面に接着剤を塗布して、第二保護部材１９−２が接着剤によってドアやサッシ窓の隙間に粘着するようにしてもよい。
【００３２】
光ファイバ心線保護シート１は第二粘着層２１及び第二剥離紙１５をさらに、備えてもよい。第二粘着層２１は、第二保護部材１９−２の外側、つまり、第一粘着層２２に対して反対側に配置され、第二保護部材１９−２に粘着している。第二剥離紙１５を剥離すると、第二保護部材１９−２をドアやサッシ窓の隙間に粘着させることができる。第二剥離紙１５は第二粘着層２１の外側に配置される。第二剥離紙１５は剥離可能で、剥離すると、第二保護部材１９−２を第二粘着層２１によってドアやサッシ窓の隙間に粘着させることができる。
【００３３】
光ファイバ心線保護シートの使用方法について、図５を用いて説明する。図５における光ファイバ心線保護シート１は、第一剥離紙２５、内側光ファイバ心線保護シート１−１及び外側光ファイバ心線保護シート１−２から構成される。内側光ファイバ心線保護シート１−１は、第二保護部材１９−２、第一粘着層２２及び補強材１６を備える。内側光ファイバ心線保護シート１−１は、第二剥離紙１５及び第二粘着層２１をさらに備えてもよい。外側光ファイバ心線保護シート１−２は第一保護部材１９−１及び保護カバー２０を備える。
【００３４】
まず、屋外から屋内へ引き込むための光ドロップケーブルや屋内配線のための光インドアケーブルなどの光ケーブルの一部の区間で被覆を除去し、光ファイバ心線とする。その後、又は並行して、又は先行して、第一保護部材１９−１と第二保護部材１９−２とが互いに離れるように、第一剥離紙２５を境に、光ファイバ心線保護シート１を内側光ファイバ心線保護シート１−１及び外側光ファイバ心線保護シート１−２に分離する（図５（１））。外側光ファイバ心線保護シート１−２を分離する際に、第一剥離紙２５は引き剥がしてしまう。
【００３５】
次に、剥離した第一保護部材１９−１及び第二保護部材１９−２の間、つまり、内側光ファイバ心線保護シート１−１と外側光ファイバ心線保護シート１−２との間に光ファイバ心線２３を配置し、光ファイバ心線２３の両端の光ケーブル１８を内側光ファイバ心線保護シートの導入口に配置する（図５（２））。光ファイバ心線２３及び光ケーブル１８は第一粘着層２２に粘着させる。第一剥離紙２５は、光ファイバ心線２３及び光ケーブル１８を配置した後や、粘着させた後に引き剥がしてもよい。
【００３６】
最後に、剥離した第一保護部材１９−１及び第二保護部材１９−２を第一粘着層２２によって互いに粘着させる（図５（３））。
【００３７】
このように、本実施形態の光ファイバ保護シート又は光ファイバ心線保護方法は、現場に敷設する光ケーブルの途中の区間で、光ケーブルの被覆を除去し、光ファイバ心線を光ファイバ保護シートに収容することにより、光ドロップケーブルや光インドアケーブル等の光ケーブルの接続点及び接続点を収容する接続用キャビネットを不要とすることができる。
【００３８】
（実施形態２）
本実施形態に係る光ファイバ心線保護シート１の平面図を図６に示す。図６のＢ−Ｂ’線における光ファイバ心線保護シート１の断面図を図７に示す。図６、図７における光ファイバ心線保護シート１は、第二保護部材１９−２、第一粘着層２２、第一剥離紙２５、第一保護部材１９−１、保護カバー２０、補強材１６、マーカー２４を備える。光ファイバ心線保護シート１は、第二粘着層２１、第二剥離紙１５をさらに備えてもよい。図７において、光ファイバ心線保護シート１は、平面的には３つの長方形で構成されている。光ファイバ心線を配置する小径曲げ許容部１２及び光ファイバケーブルの導入口となる２つの成端部１３である。ここでは、平面的な形状が３つの長方形の組み合わせとなっているが、この形に限定されるものではない。
【００３９】
実施形態１との違いは、マーカー２４が追加されている点である。マーカー２４は光ファイバ心線２３又は光ケーブル１８を配置する位置を示す。マーカー２４は第二保護部材１９−２の面に印刷されたものでもよいし、第一粘着層２２に塗料等で描かれたものでもよい。外側光ファイバ心線保護シート１−２を分離したときに、視認できるものであればよい。本実施形態では、光ファイバ心線２３及び光ケーブル１８をマーカー２４上に配置する点である。
【００４０】
光ファイバ心線保護シートの使用方法について図８を用いて説明する。図８における光ファイバ心線保護シート１は、第一剥離紙２５、内側光ファイバ心線保護シート１−１及び外側光ファイバ心線保護シート１−２から構成される。内側光ファイバ心線保護シート１−１は、第二保護部材（不図示）、第一粘着層２２、補強材１６及びマーカー２４を備える。内側光ファイバ心線保護シート１−１は、第二剥離紙（不図示）及び第二粘着層（不図示）をさらに備えてもよい。外側光ファイバ心線保護シート１−２は第一保護部材（不図示）及び保護カバー（不図示）を備える。
【００４１】
まず、屋外から屋内へ引き込むための光ドロップケーブルや屋内配線のための光インドアケーブルなどの光ケーブルの一部の区間で被覆を除去し、光ファイバ心線とする。その後、又は並行して、又は先行して、第一保護部材１９−１と第二保護部材１９−２とが互いに離れるように、第一剥離紙２５を境に、光ファイバ心線保護シート１を内側光ファイバ心線保護シート１−１及び外側光ファイバ心線保護シート１−２に分離する（図８（１））。外側光ファイバ心線保護シート１−２を分離する際に、第一剥離紙２５は引き剥がしてしまう。
【００４２】
次に、剥離した第一保護部材１９−１及び第二保護部材１９−２の間、つまり、内側光ファイバ心線保護シート１−１と外側光ファイバ心線保護シート１−２との間で、マーカー２４上に光ファイバ心線２３及び光ファイバ心線２３の両端の光ケーブル１８を配置する（図８（２））。光ファイバ心線２３及び光ケーブル１８は第一粘着層２２に粘着させる。第一剥離紙２５は、光ファイバ心線２３及び光ケーブル１８を配置した後や、粘着させた後に引き剥がしてもよい。
【００４３】
最後に、剥離した第一保護部材１９−１及び第二保護部材１９−２を第一粘着層２２によって互いに粘着させる（図８（３））。
【００４４】
本実施形態の光ファイバ保護シート又は光ファイバ心線保護方法は、このマーカー２４を備えることにより、光ファイバ心線２３及び光ケーブル１８を配置すべき位置が明確となり、設計通りの効果を得ることができる。
【００４５】
設計について説明する。小径曲げ許容部１２の設計を説明する原理図を図９に示す。図９の円柱は、光ファイバ心線保護シートを敷設するドアやサッシ窓の隙間の角の形状をモデル化している。直角の角も、拡大すればその先端は丸みを帯びているため、円柱で近似できる。このとき、その曲率半径ｒの円柱に光ファイバ心線を稜線から配線角度θで傾けて配線したとき、光ファイバ心線自体の等価曲げ半径Ｒは（１）式で求められる。
Ｒ＝（ｒ＋ｔ）／ｓｉｎ２θ        （１）
【００４６】
ここで、ｔは円柱の表面から光ファイバ心線の長軸方向の中心軸までの距離である。光ファイバ心線は被覆されているため、距離ｔは有限の大きさを持つ。被覆が全く無い極限条件では、距離ｔはファイバ半径となる。光ファイバ心線をこのエッジの稜線に直角に沿わせたとき（θ＝９０°）、曲げ半径はｒ＋ｔとなる。
【００４７】
光ファイバ心線をエッジの稜線に斜めに沿わせたときの、光ファイバ心線の等価曲げ半径の計算結果を図１０に示す。横軸は配線角度θを表し、図９に示したように、稜線となす角度である。縦軸は、式（１）で表される等価曲げ半径Ｒを表す。ｒ＋ｔが１．１ｍｍ、２．１ｍｍ、３．１ｍｍの場合について示す。図１０より、配線角度θが小さくなるほど、光ファイバ心線の等価曲げ半径Ｒが大きくなることがわかる。したがって、角がシャープな場合であっても、配線角度θを小さくして光ファイバ心線を配線することにより、等価曲げ半径Ｒが大きくなる。光ファイバ心線の等価曲げ半径Ｒが大きくなると、光ファイバ心線が破断しにくくなり、その結果、光ファイバ心線の長期信頼性を確保することが可能となる。
【００４８】
実際に、光ファイバ心線を収容した光ファイバ心線保護シートをサッシに敷設する例を図１１に示す。図６の小径折り曲げ許容部１２をサッシ枠部の折れ曲がり部分に当たるようにサッシ枠部に沿って、光ファイバ心線保護シートを敷設する。サッシ枠部には、第二保護部材１９−２に接着剤を塗布して、粘着させてもよいし、第二保護部材１９−２の外側に第二粘着層２１を配置して、粘着させてもよい。板部では、サッシの可動部が接触するため、最小曲げ半径となる。このような場所での光ファイバ心線の配置を図１１右図に示す。板部の稜線に対して、配線角度θとなるように、光ファイバ心線を光ファイバ心線保護シートに収容すれば、光ファイバ心線が破断しにくくなり、その結果、光ファイバ心線の長期信頼性を確保することが可能となる。
【００４９】
従って、このマーカー２４を備えることにより、本実施形態の光ファイバ保護シート又は光ファイバ心線保護方法は、光ファイバ心線の長期信頼性を確保することが可能となる。
【００５０】
実施形態２では、マーカー２４を利用して、光ファイバ心線２３を配置したが、マーカー２４がない実施形態１でも、角度θを確保できるように、光ファイバ心線２３を光ファイバ保護シートに配置すれば同様の効果が得られる。
【００５１】
（実施形態３）
本実施形態に係る光ファイバ心線保護シート１の平面図を図１２に示す。図１２のＣ−Ｃ’線における光ファイバ心線保護シート１の断面図を図１３に示す。図１２、図１３における光ファイバ心線保護シート１は、第二保護部材１９−２、第一粘着層２２、第一剥離紙２５、第一保護部材１９−１、保護カバー２０、補強材１６、マーカー２４を備える。光ファイバ心線保護シート１は、第二粘着層２１及び第二剥離紙１５をさらに備えてもよい。図１２において、光ファイバ心線保護シート１は、平面的には３つの長方形で構成されている。光ファイバ心線を配置する小径曲げ許容部１２及び光ファイバケーブルの導入口となる２つの成端部１３である。ここでは、平面的な形状が３つの長方形の組み合わせとなっているが、この形に限定されるものではない。
【００５２】
実施形態２との違いは、マーカー２４が折り返されている点である。図１２では、例えば、１箇所で折り返され、配線角度−θから配線角度θに折り返されている。ここでは、１箇所で折り返されているが、１箇所に限定されるものではない。２以上の複数箇所で折り返されてもよい。
【００５３】
光ファイバ心線保護シートの使用方法について図１４を用いて説明する。図１４における光ファイバ心線保護シート１は、第一剥離紙（不図示）、内側光ファイバ心線保護シート１−１及び外側光ファイバ心線保護シート１−２から構成される。内側光ファイバ心線保護シート１−１は、第二保護部材（不図示）、第一粘着層２２、補強材１６及びマーカー２４を備える。内側光ファイバ心線保護シート１−１は、第二剥離紙（不図示）及び第二粘着層（不図示）をさらに備えてもよい。外側光ファイバ心線保護シート１−２は第一保護部材（不図示）及び保護カバー（不図示）を備える。
【００５４】
実施形態２との違いは、マーカー２４が折り返し箇所を有する点である。マーカー２４に沿って光ファイバ心線２３を配置すれば、狭い空間に光ファイバ保護シート１を敷設することが可能となる。
【００５５】
ただし、先に小径曲げ許容部の説明のとおり、光ファイバの曲げ半径を破断しない程度の角度を有して敷設する必要があることから、折り返し点は図１１の板部の頂点位置に配置されないように敷設することが望ましい。
【００５６】
従って、このマーカー２４を備えることにより、本実施形態の光ファイバ保護シート又は光ファイバ心線保護方法は、光ファイバ心線の長期信頼性を確保しつつ、狭い空間にも光ファイバ保護シートを敷設することが可能となる。
【００５７】
（実施形態４）
本実施形態に係る光ファイバ心線保護シート１の平面図を図１５に示す。図１５のＤ−Ｄ’線における光ファイバ心線保護シート１の断面図を図１６に示す。図１５、図１６における光ファイバ心線保護シート１は、第二保護部材１９−２、第一粘着層２２−１、第一剥離紙２５−１、第一保護部材１９−１、保護カバー２０、補強材１６、固着部２６を備える。光ファイバ心線保護シート１は、第二粘着層２１及び第二剥離紙１５をさらに備えてもよい。図１５において、光ファイバ心線保護シート１は、平面的には３つの長方形で構成されている。光ファイバ心線を配置する小径曲げ許容部１２及び光ファイバケーブルの導入口となる２つの成端部１３である。ここでは、平面的な形状が３つの長方形の組み合わせとなっているが、この形に限定されるものではない。
【００５８】
実施形態１から３のいずれとも組み合わせることができる。実施形態２との違いを説明する。マーカー２４に替わって、固着部２６を備えている点である。図１５の固着部２６は、マーカー２４が配置されるべき位置の折れ曲がりの内側としている。このため、図１６において、第一粘着層２２−１及び第一剥離紙２５−１は全面ではなく、固着部２６以外の部分に配置されている。
【００５９】
光ファイバ心線保護シートの使用方法について図１７を用いて説明する。図１７における光ファイバ心線保護シート１は、第二保護部材１９−２、第一粘着層２２−１、第一剥離紙２５−１、第一保護部材１９−１、保護カバー２０及び補強材１６を備える。光ファイバ心線保護シート１は、第二剥離紙１５及び第二粘着層２１をさらに備えてもよい。
【００６０】
まず、屋外から屋内へ引き込むための光ドロップケーブルや屋内配線のための光インドアケーブルなどの光ケーブルの一部の区間で被覆を除去し、光ファイバ心線とする。その後、又は並行して、又は先行して、第一保護部材１９−１と第二保護部材１９−２とが一部離れるように、第一剥離紙２５−１を境に、第二保護部材（不図示）をめくる（図１７（１））。第一剥離紙２５−１は引き剥がしてしまう。
【００６１】
次に、めくった第一保護部材１９−１及び第二保護部材１９−２の間に光ファイバ心線２３を固着部２６に沿って配置し、光ファイバ心線２３の両端の光ケーブルを内側光ファイバ心線保護シートの導入口に配置する。光ファイバ心線２３及び光ケーブル１８を第一粘着層２２−１に粘着させる（図１７（２））。第一剥離紙２５−１は、光ファイバ心線２３及び光ケーブル１８を配置した後や、粘着させた後に引き剥がしてもよい。
【００６２】
最後に、めくった第一保護部材１９−１及び第二保護部材１９−２を第一粘着層２２によって互いに粘着させる（図１７（３））。
【００６３】
実施形態２との違いは、第一保護部材１９−１及び第二保護部材１９−２との間の一部が、第一粘着層２２−１及び第一剥離紙２５−１を介することなく固着されている点である。固着部２６は、マーカー２４が配置されるべき位置の折れ曲がりの内側としているため、光ファイバ心線や光ケーブルを配置した後、第一粘着層２２−１を介して第一保護部材１９−１を第二保護部材１９−２に粘着させる際に正確に位置決めができる。
【００６４】
従って、本実施形態の光ファイバ保護シート又は光ファイバ心線保護方法は、固着部２６を備えることによって、光ファイバ心線保護シートの敷設が容易になる。
【００６５】
（実施形態５）
本実施形態に係る光ファイバ心線保護シート１の平面図を図１８に示す。図１５のＥ−Ｅ’線における光ファイバ心線保護シート１の断面図を図１９に示す。図１８、図１９における光ファイバ心線保護シート１は、第二保護部材１９−２、第一粘着層２２−２、第一剥離紙２５−２、第一保護部材１９−１、保護カバー２０、補強材１６、固着部２６を備える。光ファイバ心線保護シート１は、第二粘着層２１及び第二剥離紙１５をさらに備えてもよい。図１８において、光ファイバ心線保護シート１は、平面的には３つの長方形で構成されている。光ファイバ心線を配置する小径曲げ許容部１２及び光ファイバケーブルの導入口となる２つの成端部１３である。ここでは、平面的な形状が３つの長方形の組み合わせとなっているが、この形に限定されるものではない。
【００６６】
実施形態１から４のいずれとも組み合わせることができる。実施形態４との違いを説明する。実施形態４との違いは固着部２６の配置である。マーカー２４が配置されるべき位置を帯状とし、図１８の固着部２６は、その帯状部分を除いた位置に配置されている。さらに、その帯状部分の第一粘着層２２−２、第一剥離紙２５−２の上面では、図１９に示すように、第一保護部材１９−１及び保護カバー２０が帯の両側から重なるように配置されている。このため、図１９において、第一粘着層２２−２及び第一剥離紙２５−２は全面ではなく、固着部２６以外の部分に配置されている。
【００６７】
光ファイバ心線保護シートの使用方法について図２０を用いて説明する。図２０における光ファイバ心線保護シート１は、第二保護部材１９−２、第一粘着層２２−２、第一剥離紙２５−２、第一保護部材１９−１、保護カバー２０、補強材１６及び固着部２６を備える。光ファイバ心線保護シート１は、第二剥離紙１５及び第二粘着層２１をさらに備えてもよい（図２０（１））。
【００６８】
まず、屋外から屋内へ引き込むための光ドロップケーブルや屋内配線のための光インドアケーブルなどの光ケーブルの一部の区間で被覆を除去し、光ファイバ心線とする。
【００６９】
その後、又は並行して、又は先行して、第一保護部材１９−１と第二保護部材１９−２とが一部離れるように、第一保護部材１９−１を外側にして、光ファイバ心線保護シート１を撓ませ、第一剥離紙２５−２は引き剥がしてしまう。
【００７０】
次に、めくった第一保護部材１９−１及び第二保護部材１９−２の間に光ファイバ心線２３を第一粘着層２２−２に沿って配置し、光ファイバ心線２３の両端の光ケーブルを内側光ファイバ心線保護シートの導入口に配置する。光ファイバ心線２３及び光ケーブル（不図示）を第一粘着層２２−２に粘着させる（図２０（２））。
【００７１】
最後に、めくった第一保護部材１９−１及び第二保護部材１９−２を第一粘着層２２−２によって互いに粘着させる（図２０（３））。
【００７２】
実施形態４との違いは、第一保護部材１９−１及び第二保護部材１９−２との間の一部で、第一粘着層２２−２及び第一剥離紙２５−２を介することなく固着されているおり、固着部２６は、マーカーが配置されるべき位置を帯状とし、その帯状部分を除いた位置に配置されている点である。
【００７３】
マーカーが配置されるべき位置を帯状とし、固着部２６が、その帯状部分を除いた位置に配置されているため、光ファイバ心線や光ケーブルを配置した後、第一粘着層２２−２を介して第一保護部材１９−１を第二保護部材１９−２に粘着させる際に正確に位置決めができる。
【００７４】
従って、本実施形態の光ファイバ保護シート又は光ファイバ心線保護方法は、固着部２６を備えることによって、光ファイバ心線保護シート１の敷設が容易になる。
【００７５】
（実施形態６）
本実施形態に係る光ファイバ心線保護シート１の平面図を図２１に示す。図２１における光ファイバ心線保護シート１は、第二保護部材（不図示）、第一粘着層（不図示）、第一剥離紙（不図示）、第一保護部材（不図示）、保護カバー（不図示）、補強材１６、マーカー２４、のりしろ部２９を備える。光ファイバ心線保護シート１は、第二粘着層（不図示）及び第二剥離紙（不図示）をさらに備えてもよい。図２１において、光ファイバ心線保護シート１は、平面的にはそれぞれ３つの長方形で構成されている。光ファイバ心線を配置する小径曲げ許容部１２及び光ファイバケーブルの導入口となる２つの成端部１３である。ここでは、平面的な形状が長方形となっているが、この形に限定されるものではない。
【００７６】
実施形態１から５のいずれとも組み合わせることができる。実施形態２との違いを説明する。光ファイバ心線保護シート１が小径曲げ許容部１２と２つの成端部１３に分割され、それぞれを結合させるのりしろ部２９が２つの成端部１３に設けられている点である。
【００７７】
光ファイバ心線保護シート１を敷設するドアやサッシ窓に敷設する際に、光ファイバ心線保護シート１を敷設するドアやサッシ窓の幅に合わせて、小径曲げ許容部１２を任意の長さ（図２１上では左右方向）に切断する。切断した後、のりしろ部２９を利用して、小径曲げ許容部１２と２つの成端部１３を結合させる。のりしろ部２９には粘着層を設けていてもよいし、結合の際に、接着剤を塗布してもよい。
【００７８】
これにより、ドアやサッシ窓に光ファイバ保護シート１を敷設した後に、小径曲げ許容部１２が狭隘部分から必要以上に露出することがないことから美観の良い敷設が可能となる。なお、図２１では、２つの成端部１３が分離可能な構成を記載しているが、いずれか一方のみの成端部１３が分離する構成でもよい。
【００７９】
光ファイバ心線保護シート１を１つに結合した後の使用方法は前述した実施形態と同様である。
【００８０】
従って、本実施形態の光ファイバ保護シート又は光ファイバ心線保護方法は、光ファイバ心線保護シートの小径曲げ許容部の長さを敷設環境に最適なサイズに調整することが可能である。長さを調整した後に、光ファイバ心線保護シートを敷設すれば、美観上最適な配線形態とすることができる。
【００８１】
（実施形態７）
本実施形態に係る光ファイバ心線保護シート１の平面図を図２２に示す。図２２における光ファイバ心線保護シート１は、第二保護部材（不図示）、第一粘着層（不図示）、第一剥離紙（不図示）、第一保護部材（不図示）、保護カバー（不図示）、補強材１６、マーカー２４を備える。光ファイバ心線保護シート１は、第二粘着層（不図示）及び第二剥離紙（不図示）をさらに備えてもよい。図２２において、光ファイバ心線保護シート１は、平面的には３つの長方形で構成されている。光ファイバ心線を配置する小径曲げ許容部１２及び光ファイバケーブルの導入口となる２つの成端部１３である。ここでは、平面的な形状が３つの長方形の組み合わせとなっているが、この形に限定されるものではない。
【００８２】
実施形態１から６のいずれとも組み合わせることができる。実施形態２との違いを説明する。小径曲げ許容部１２と２つの成端部１３のうち、成端部１３では、補強材１６の途切れている開放部を２箇所以上有する。一方の成端部１３にのみ、開放部を２箇所以上有することとしてもよい。
【００８３】
これにより、光ケーブルを開放部のある方向に導入することが可能となる。例えば、図２２のように、３方向に開放部を設ければ、図面上の上方向、横方向、下方向のいずれの向きからでも光ケーブルを導入することができる。また、２つの成端部１３で、異なった向きから光ケーブルを導入することとしてもよい。
【００８４】
光ファイバ心線保護シートの使用方法は前述した実施形態と同様である。
【００８５】
従って、本実施形態の光ファイバ保護シート又は光ファイバ心線保護方法は、光ケーブルを所望の方向から導入することが可能である。方向を選択した後に、光ファイバ心線保護シートを敷設すれば、美観上最適な配線形態とすることができる。
【００８６】
（実施形態８）
本実施形態に係る光ファイバ心線保護シート１の平面図を図２３に示す。光ファイバ心線保護シート１は実施形態１から７のいずれのものでもよい。ここでは、実施形態２の光ファイバ心線保護シート１を例にとる。図２３における光ファイバ心線保護シート１は、第二保護部材（不図示）、第一粘着層（不図示）、第一剥離紙（不図示）、第一保護部材（不図示）、保護カバー（不図示）、マーカー（不図示）、補強材１６を備える。光ファイバ心線保護シート１は、第二粘着層（不図示）及び第二剥離紙（不図示）をさらに備えてもよい。図２３において、光ファイバ心線保護シート１は、平面的には３つの長方形で構成されている。光ファイバ心線２３を配置する小径曲げ許容部１２及び光ファイバケーブルの導入口となる２つの成端部１３である。ここでは、平面的な形状が３つの長方形の組み合わせとなっているが、この形に限定されるものではない。
【００８７】
光ファイバ心線保護シートを使用した光ファイバ心線保護方法を説明する。光ケーブルの一方が光ドロップケーブルであり、他方が光インドアケーブルのように、異種光ケーブルを接続して光ファイバ心線保護シートに収容する場合に適用する例である。
【００８８】
まず、屋外から屋内へ引き込むための光ドロップケーブル及び屋内配線のための光インドアケーブルなどの光ケーブルの端部の被覆を除去し、光ファイバ心線とする。光ドロップケーブル及び光インドアケーブルの光ファイバ心線を互いに融着接続し、融着接続した部分を融着補強部２７で補強する。その後、又は並行して、又は先行して、第一保護部材１９−１と第二保護部材１９−２とが互いに離れるように、第一剥離紙２５を境に分離する。第一剥離紙２５は引き剥がしてしまう。
【００８９】
次に、剥離した第一保護部材１９−１及び第二保護部材１９−２の間に光ファイバ心線２３及び融着補強部２７を配置し、光ファイバ心線２３の両端の光ケーブル１８を光ファイバ心線保護シート１の導入口に配置する。光ファイバ心線２３、光ケーブル１８及び融着補強部２７を第一粘着層２２に粘着させる。第一剥離紙２５は、光ファイバ心線２３、光ケーブル１８及び融着補強部２７を配置した後や、粘着させた後に引き剥がしてもよい。
【００９０】
最後に、剥離した第一保護部材１９−１及び第二保護部材１９−２を第一粘着層２２によって互いに粘着させる。
【００９１】
異種光ケーブルの接続は上記の組み合わせに限らない。また、異種光ケーブルの接続に限定されるものではなく、同種光ケーブルの接続を必要とする場合にも適用することができる。
【００９２】
このように、本実施形態の光ファイバ保護シート又は光ファイバ心線保護方法は、現場に敷設する光ケーブルの途中の区間で、光ケーブルの被覆を除去し、光ファイバ心線を光ファイバ保護シートに収容することにより、光ドロップケーブル又は光インドアケーブルの接続に必要な接続用キャビネットによる接続点を不要とすることができる。
【００９３】
（実施形態９）
本実施形態に係る光ファイバ心線保護シート１の平面図を図２４に示す。光ファイバ心線保護シート１は実施形態１から７のいずれのものでもよい。ここでは、実施形態２の光ファイバ心線保護シート１を例にとる。図２４における光ファイバ心線保護シート１は、第二保護部材（不図示）、第一粘着層（不図示）、第一剥離紙（不図示）、第一保護部材（不図示）、保護カバー（不図示）、マーカー（不図示）、補強材１６を備える。光ファイバ心線保護シート１は、第二粘着層（不図示）及び第二剥離紙（不図示）をさらに備えてもよい。図２４において、光ファイバ心線保護シート１は、平面的には３つの長方形で構成されている。光ファイバ心線を配置する小径曲げ許容部１２及び光ファイバケーブルの導入口となる２つの成端部１３である。ここでは、平面的な形状が３つの長方形の組み合わせとなっているが、この形に限定されるものではない。
【００９４】
光ファイバ心線保護シートを使用した光ファイバ心線保護方法を説明する。光ケーブルの一方が光ドロップケーブルであり、他方が光インドアケーブルであり、いずれも、曲げに強い光ファイバを内蔵していない場合に、曲げに強い光ファイバ心線を光ファイバ心線保護シートに収容する場合に適用する例である。
【００９５】
まず、屋外から屋内へ引き込むための光ドロップケーブル及び屋内配線のための光インドアケーブルなどの光ケーブルの端部の被覆を除去し、光ファイバ心線とする。光ドロップケーブル及び光インドアケーブルの光ファイバ心線をそれぞれ曲げに強い光ファイバ心線と融着接続し、融着接続した部分をそれぞれ融着補強部２７で補強する。その後、又は並行して、又は先行して、第一保護部材１９−１と第二保護部材１９−２とが互いに離れるように、第一剥離紙２５を境に分離する。第一剥離紙２５は引き剥がしてしまう。
【００９６】
次に、剥離した第一保護部材１９−１及び第二保護部材１９−２の間に光ファイバ心線２３及び２つの融着補強部２７を配置し、光ファイバ心線２３の両端の光ケーブル１８を光ファイバ心線保護シートの導入口に配置する。光ファイバ心線２３、光ケーブル１８及び融着補強部２７を第一粘着層２２に粘着させる。第一剥離紙２５は、光ファイバ心線２３、光ケーブル１８及び融着補強部２７を配置した後や、粘着させた後に引き剥がしてもよい。
【００９７】
最後に、剥離した第一保護部材１９−１及び第二保護部材１９−２を第一粘着層２２によって互いに粘着させる。
【００９８】
異種光ケーブルの接続は上記の組み合わせに限らない。また、異種光ケーブルの接続に限定されるものではなく、同種光ケーブルの接続を必要とする場合にも適用することができる。また、収容する光ファイバ心線は曲げに強い光ファイバ心線に限定されるものではない。
【００９９】
このように、本実施形態の光ファイバ保護シート又は光ファイバ心線保護方法は、現場に敷設する光ケーブルの途中の区間で、光ケーブルの被覆を除去し、光ファイバ心線を光ファイバ保護シートに収容することにより、曲げに強い光ファイバ心線と光ドロップケーブル又は光インドアケーブルとの接続点及び接続点を収容する接続用キャビネットを不要とすることができる。
【産業上の利用可能性】
【０１００】
本発明はＦＴＴＨの構築に適用することができる。
【符号の説明】
【０１０１】
１：光ファイバ心線保護シート
１−１、１−３：内側光ファイバ心線保護シート
１−２、１−４：外側光ファイバ心線保護シート
１２：小径曲げ許容部
１３：成端部
１５：第二剥離紙
１６：補強材
１８：光ケーブル
１９−１：第一保護部材
１９−２：第二保護部材
２０：保護カバー
２１：第二粘着層
２２、２２−１、２２−２：第一粘着層
２３：光ファイバ心線
２４：マーカー
２５、２５−１、２５−２：第一剥離紙
２６：固着部
２７：融着補強部
２９：のりしろ部
５１：小径曲げ対応光ファイバコード
５２：小径曲げ許容部
５３：成端部
５５：剥離紙
５６：補強材
５７：光コネクタ
５８：被覆光コード
５９：第一保護部材
６０：保護シート
６１：第二粘着層
６３：光ファイバ心線
【図１】
0005792109.tif 000002
【図２】
0005792109.tif 000003
【図３】
0005792109.tif 000004
【図４】
0005792109.tif 000005
【図５】
0005792109.tif 000006
【図６】
0005792109.tif 000007
【図７】
0005792109.tif 000008
【図８】
0005792109.tif 000009
【図９】
0005792109.tif 000010
【図１０】
0005792109.tif 000011
【図１１】
0005792109.tif 000012
【図１２】
0005792109.tif 000013
【図１３】
0005792109.tif 000014
【図１４】
0005792109.tif 000015
【図１５】
0005792109.tif 000016
【図１６】
0005792109.tif 000017
【図１７】
0005792109.tif 000018
【図１８】
0005792109.tif 000019
【図１９】
0005792109.tif 000020
【図２０】
0005792109.tif 000021
【図２１】
0005792109.tif 000022
【図２２】
0005792109.tif 000023
【図２３】
0005792109.tif 000024
【図２４】
0005792109.tif 000025